(57)【要約】【課題】固定切断刃と旋回切断刃の破損を防止できる手動式ケーブルカッターの提供。【解決手段】上部側が２枚のフレーム板で連結される一対のハンドルを備え、上記１枚のフレーム板２側に固定切断刃５の基端部５ａを重合状態をもって剪断可能な軟質ボルト１４で固設すると共に、該固定切断刃に円弧状外側面に歯部を連続形成した旋回切断刃を旋回可能に軸支する一方、上記２枚のフレーム板間に画成される空間内に、付勢ばね圧で上記旋回切断刃の外側歯部と咬合する逆転防止爪と、揺動ハンドルの上部に設けられて付勢ばね圧で旋回切断刃の外側歯部と咬合する送り爪とを配置することにより、固定切断刃５に不測の大荷重がかかった場合には、上記した軟質ボルト１４が安全弁的な役割を果たして剪断して、フレーム板２に対する固設状態を解除する。【選択図】          図４
2004216489.tif 000002
【特許請求の範囲】
【請求項１】
上部側が２枚のフレーム板で連結される一対のハンドルを備え、該両ハンドルの一方を固定ハンドルと、他方を揺動ハンドルとなして、上記１枚のフレーム板側に固定切断刃の基端部を重合状態をもって剪断可能な軟質ボルトで固設すると共に、該固定切断刃に円弧状外側面に歯部を連続形成した旋回切断刃を旋回可能に軸支する一方、上記２枚のフレーム板間に画成される空間内に、付勢ばね圧で上記旋回切断刃の外側歯部と咬合する逆転防止爪と、揺動ハンドルの上部に設けられて付勢ばね圧で旋回切断刃の外側歯部と咬合する送り爪とを配置したことを特徴とする手動式ケーブルカッター。
【請求項２】
固定切断刃の基端部内面に凹段部を形成して、該凹段部内に１枚のフレーム板を重合させたことを特徴とする請求項１記載の手動式ケーブルカッター。
【発明の詳細な説明】
【０００１】
【発明の属する技術分野】
本発明は、例えば、ワイヤーケーブル・電線・通信線・鉄筋バー等の各種金属ケーブルを切断する手動式ケーブルカッターの改良に関するものである。
【０００２】
【従来の技術】
従来のこの種ケーブルカッターは、具体的には図示しないが、上部側が相互に連結され且つばね作用によって拡開方向に付勢された一対のハンドルを備え、該両ハンドルの一方を固定ハンドルと、他方を揺動ハンドルとなして、固定ハンドルの上部に固定切断刃の基端部を直に固設すると共に、該固定切断刃の先端部に円弧状外側面に歯部を連続形成した旋回切断刃の基端部を旋回可能に軸支する一方、固定ハンドルの上部に逆転防止爪を回動可能に設けて、該逆転防止爪を付勢ばね圧で上記旋回切断刃の外側歯部に咬合させると共に、揺動ハンドルの上部に送り爪を回動可能に支承して、同じく、当該送り爪をも付勢ばね圧で旋回切断刃の外側歯部に咬合させる構成になっている（例えば、特許文献１参照）。
【０００３】
そして、実際の使用に際しては、開放された旋回切断刃と固定切断刃の間に画成される空域内に工作物たるケーブルを挿通して、次いで、旋回切断刃の自由端部を上記軸支点を中心として閉塞方向に案内して、旋回切断刃と固定切断刃とでケーブルの外周を包囲した後、一対のハンドルを把持して、揺動ハンドルを連続して開閉操作すると、当該揺動ハンドルの開閉の都度、旋回切断刃の外側歯部に咬合している送り爪の空滑りと押動作用で、旋回切断刃が上記空域を零とするまで自動的に旋回移動するので、これにより、旋回切断刃と固定切断刃の対向側縁に形成されている刃部でケーブルが切断されることとなる。尚、斯かる過程では、逆転防止爪は、送り爪と同様に、旋回切断刃の外側歯部に対する空滑りと押動作用で、旋回切断刃の逆転を防止することとなる。
【０００４】
【特許文献１】
特開平４−２３６９７７号公報
【０００５】
【発明が解決しようとする課題】
従来の手動式ケーブルカッターにあっては、既述した如く、固定切断刃の基端部をそのまま固定ハンドルの上部に通常の硬質ボルト・ナットを介して固設した関係で、ケーブルカッター自体の切断能力以上のケーブルを切断しようとしたような場合には、ケーブルは切断されないが、旋回切断刃は送り爪の押動作用で機械的に旋回移動することとなるので、固定切断刃はケーブルによりその背面側に強く押し付けられることとなる。そして、この状態が続くと、これにより、固定切断刃や旋回切断刃の刃部が容易に破損して、ケーブルカッター自体がその後使用できなくなると言うトラブルがしばしば発生していた。
【０００６】
【課題を解決するための手段】
本発明は、斯かる従来の手動式ケーブルカッターが抱える課題を有効に解決するために開発されたもので、請求項１記載の発明は、上部側が２枚のフレーム板で連結される一対のハンドルを備え、該両ハンドルの一方を固定ハンドルと、他方を揺動ハンドルとなして、上記１枚のフレーム板側に固定切断刃の基端部を重合状態をもって剪断可能な軟質ボルトで固設すると共に、該固定切断刃に円弧状外側面に歯部を連続形成した旋回切断刃を旋回可能に軸支する一方、上記２枚のフレーム板間に画成される空間内に、付勢ばね圧で上記旋回切断刃の外側歯部と咬合する逆転防止爪と、揺動ハンドルの上部に設けられて付勢ばね圧で旋回切断刃の外側歯部と咬合する送り爪とを配置する構成を採用した。
【０００７】
請求項２記載の発明は、請求項１を前提として、固定切断刃の基端部内面に凹段部を形成して、該凹段部内に１枚のフレーム板を重合させる構成を採用した。
【０００８】
依って、請求項１記載の発明にあっては、従来のように、固定切断刃の基端部を固定ハンドルの上部に通常の硬質ボルトとナットを介して固設するものではなく、一対のハンドルを連結する一方のフレーム板に重合状態をもって軟質ボルトで固定する構成を採用した関係で、例え、ケーブルカッター自体の切断能力以上のケーブルを切断しようとした場合に、固定切断刃がその背面側に強く押されても、軟質ボルトが安全弁的な役割を果たして剪断させられるので、従来の如く、固定切断刃や旋回切断刃の刃部が破損して、ケーブルカッター自体がその後使用できなくなることはない。しかも、剪断可能な軟質ボルトは安価で取り替え自在なので、ケーブルカッター自体の寿命を延ばして、頗る経済的となる。
【０００９】
請求項２記載の発明にあっては、これに加えて、固定切断刃の基端部内面側に凹段部を形成して、該凹段部内に１枚のフレーム板を重合させた関係で、手動式ケーブルカッターの小型化に貢献できることは勿論であるが、特に、軟質ボルトの剪断が一層効率良く促されることとなる。
【００１０】
【発明の実施の形態】
以下、本発明を図示する好適な実施の形態に基づいて詳述すれば、該実施の形態に係る手動式ケーブルカッターは、図１乃至図３に示す如く、上部側が表裏２枚のフレーム板１・２で連結される一対のハンドル３・４を備え、該両ハンドルの一方を固定ハンドル３と、他方を揺動ハンドル４となして、裏面側で固定ハンドル３に固定される１枚のフレーム板２側に固定切断刃５の基端部をボルト・ナットを介して固設すると共に、該固定切断刃５の中央部に円弧状外側面に歯部６ａを連続形成した旋回切断刃６を軸７を介して旋回可能に軸支して、ケーブルを当該旋回切断刃６と上記固定切断刃５とで包囲する状態の下で、各切断刃５・６の対向内側縁に形成された押刃部９と受刃部８とで切断できる構成となっている。尚、上記旋回切断刃６を固定切断刃５に軸支する軸７には、旋回切断刃６をその自由状態において旋回させる摘み１０が設けられている。
【００１１】
又、上記固定切断刃５の基端部５ａを対応する裏面側のフレーム板２に固設する際には、図４に示す如く、固定切断刃５の巾広基端部５ａの内面に凹段部１１を形成して、該凹段部１１が形成された部分に複数のボルト挿通孔１２を穿設する一方、フレーム板２の上部にも該各ボルト挿通孔１２と対応するボルト挿通孔１３を穿設して、該両ボルト挿通孔１２・１３を一致させながら、上記凹段部１１内にフレーム板２を臨ましめて、低炭素鋼等で成形された剪断可能な軟質ボルト１４を一致する各ボルト挿通孔１２・１３を介して裏側から挿入して、固定切断刃５の巾広基端部５ａから突出する軟質ボルト１４の先端部を通常の硬質ナット１５で締め付けることにより、固定切断刃５の基端部５ａをフレーム板２に固設する構成となっている。
【００１２】
従って、本実施の形態の下では、固定切断刃５に不測の大荷重がかかった場合には、上記した軟質ボルト１４が安全弁的な役割を果たして剪断して、フレーム板２に対する固設状態を解除するので、例え、旋回切断刃６が機械的に旋回移動した場合でも、固定切断刃５の受刃部８や旋回切断刃６の押刃部９が破損することが有効に防止できることとなる。
【００１３】
更に、上記２枚のフレーム板１・２間に画成される空間内には、図５に示す如く、トーションスプリング１６の付勢ばね圧で、上記旋回切断刃６の外側歯部６ａと咬合するＶ字状の逆転防止爪１７を軸１８を介して回動可能に軸支すると共に、別のトーションスプリング１９の付勢ばね圧で、同じく、旋回切断刃６の外側歯部６ａと咬合する送り爪２０を配置する構成となっている。尚、この送り爪２０は、フレーム板１・２間に軸２１を介して揺動可能に軸支される揺動ハンドル４の上部に軸２２を介して回動可能に設けるものとする。
【００１４】
依って、斯かる構成の手動式ケーブルカッターを用いて、通常の使用に供する場合には、まず、図６に示す如く、揺動ハンドル４を常用範囲以上に大きく開くと、揺動ハンドル４の上端部が回動して、逆転防止爪１７と送り爪２０とをその各自の付勢ばね圧に抗して旋回切断刃６の外側歯部６ａから後退させるので、斯かる状態を得た後、図７に示す如く、旋回切断刃６に設けられたストッパーピン２３が表面側のフレーム板１の突出壁１ａに当接するまで、摘み１０を把持して旋回切断刃６を回動させて、当該旋回切断刃６と固定切断刃５の間に空域Ｓを画成する。
【００１５】
次いで、上記した空域Ｓ内にケーブル（図示せず）を挿通した状態を得て、一対のハンドル３・４を把持して、揺動ハンドル４を常用範囲内で開閉操作すると、当該揺動ハンドル４の開閉の都度、旋回切断刃６に咬合している送り爪２０の空滑りと押動作用で、旋回切断刃６が空域Ｓを零とするまで自動的に旋回移動するので、これにより、旋回切断刃６と固定切断刃５の対向側縁に形成されている押刃部９と受刃部８とでケーブルが切断されることとなる。尚、斯かる過程では、従来と同様に、逆転防止爪１７は、旋回切断刃６の外側歯部６ａに対する空滑りと押動作用で、旋回切断刃６の逆転を防止することとなる。
【００１６】
そして、斯かる通常の使用において、今度は、ケーブルカッター自体の切断能力以上のケーブルを切断しようとした場合には、最初は、従来と同様に、揺動ハンドル４の開閉操作で、ケーブルは切断できないが、旋回切断刃６は上記空域Ｓを零とするべく旋回移動して、ケーブルを固定切断刃５方向に強く押し付けることとなる。
【００１７】
しかし、本実施の形態にあっては、既述した如く、固定切断刃５はフレーム板２に剪断可能な軟質ボルト１４で固設されている関係で、旋回切断刃６の機械的な旋回移動に伴うケーブルによって、固定切断刃５がその背面側に強く押し付けられると、従来と異なり、固定切断刃５の基端部５ａをフレーム板２に固設する複数の軟質ボルト１４が安全弁的な役割を果たして容易に剪断して、固定切断刃５のフレーム板２に対する固設状態を解くことにより、上記ケーブルによる押圧力を効率的に吸収することが可能となるので、固定切断刃５の受刃部８は勿論のこと、旋回切断刃６の押刃部９も破損することがなくなって、ケーブルカッター自体の寿命を延ばすことが可能となる。又、この場合には、固定切断刃５と旋回切断刃６とは、未だ、軸７を介して軸支された状態が維持されているので、固定切断刃５はぐらぐらした状態におかれる。
【００１８】
尚、剪断した軟質ボルト１４は、安価で取り替え自在であるため、新たな軟質ボルト１４で固定切断刃５を対応するフレーム板２に固定し直すだけで、ケーブルカッターの再使用が可能となるので、従来のものと比較すると、頗る経済的となる。
【００１９】
【発明の効果】
以上の如く、本発明は、上記構成の採用により、請求項１の下では、従来のように、固定切断刃の基端部を固定ハンドルの上部に通常の硬質ボルトとナットを介して固設するものではなく、一対のハンドルを連結する一方のフレーム板に重合状態をもって軟質ボルトで固定する構成を採用した関係で、例え、ケーブルカッター自体の切断能力以上のケーブルを切断しようとした場合に、固定切断刃がその背面側に強く押されても、軟質ボルトが安全弁的な役割を果たして剪断させられるので、従来の如く、固定切断刃や旋回切断刃の刃部が破損して、ケーブルカッター自体がその後使用できなくなることはない。しかも、剪断可能な軟質ボルトは安価で取り替え自在なので、ケーブルカッター自体の寿命を延ばして、頗る経済的となる。
【００２０】
請求項２の下では、これに加えて、固定切断刃の基端部内面側に凹段部を形成して、該凹段部内に１枚のフレーム板を重合させた関係で、手動式ケーブルカッターの小型化に貢献できることは勿論であるが、特に、軟質ボルトの剪断が一層効率良く促されることとなる。
【図面の簡単な説明】
【図１】本発明の実施の形態に係る手動式ケーブルカッターを示す正面図である。
【図２】同背面図である。
【図３】同側面図である。
【図４】同手動式ケーブルカッターの構造を示す要部分解斜視図である。
【図５】表面側のフレーム板を取り除いた状態をもって示す要部正面図である。
【図６】表面側のフレーム板を取り除いた状態をもって逆転防止爪と送り爪とを旋回切断刃の外側歯部から後退させた状態を示す要部正面図である。
【図７】固定切断刃と旋回切断刃の間に空域を画成した状態を示す要部正面図である。
【符号の説明】
１    表面側のフレーム板
１ａ  突出壁
２    裏面側のフレーム板
３    固定ハンドル
４    揺動ハンドル
５    固定切断刃
５ａ  基端部
６    旋回切断刃
６ａ  外側歯部
７    軸
８    受刃部
９    押刃部
１０  摘み
１１  凹段部
１２  ボルト挿通孔
１３  ボルト挿通孔
１４  軟質ボルト
１５  ナット
１６  トーションスプリング
１７  逆転防止爪
１８  軸
１９  トーションスプリング
２０  送り爪
２１  軸
２２  軸
２３  ストッパーピン
Ｓ    空域
【図１】
2004216489.tif 000003
【図２】
2004216489.tif 000004
【図３】
2004216489.tif 000005
【図４】
2004216489.tif 000006
【図５】
2004216489.tif 000007
【図６】
2004216489.tif 000008
【図７】
2004216489.tif 000009